(57)【要約】      （修正有）【課題】異なる鍵に適合する交換可能の錠装置を提供する。【解決手段】錠装置はハウジング１０、シリンダ２０、メイン調節ピン組立体３０、サブ調節ピン組立体４０及び複数のロックピン組立体５０を有する。ハウジングは、複数の組のピン穴１５、２つのメイン調節穴１３、１３２及び２つのサブ調節穴１４、１４２を有する。ピン穴の組の３つの穴は、それぞれ、錠装置の変更位置、開位置及びロック位置に対応する。シリンダはハウジングに回転可能に配置され、メイン調節穴２３、メイン調節空間２３２、サブ調節穴２４、サブ調節空間２４２及び複数のピン穴２５を有する。調節ピン組立体は、それぞれ、ハウジング及びシリンダのメイン調節穴及びサブ調節穴に配置され、錠装置の回転接点を選択的に妨げる。ロックピン組立体は、それぞれ、ピン穴に配置されている。したがって、錠装置は、異なる鍵に変更可能に適合することができる。【選択図】図２
2005264611.tif 000002
【特許請求の範囲】
【請求項１】
ハウジングと、シリンダと、メイン調節ピン組立体と、サブ調節ピン組立体と、複数のロックピン組立体とを含む錠装置であって、
前記ハウジングは、
外面と、
近端部と、
前記ハウジングに形成された内面を有する中央穴と、
前記ハウジングに形成されかつ前記中央穴に連通する複数の組のピン穴であって、前記ピン穴の各組は、前記ハウジングの前記外面のピン穴を３列になるように、前記ハウジングの前記外面に沿った曲面に配置された３つのピン穴を有し、前記ハウジングの前記組のピン穴の３つの穴はそれぞれ前記錠装置の変更位置、開位置及びロック位置とされている、複数の組のピン穴と、
前記ハウジングの半径方向において、２つのメイン調節穴であって前記中央穴に連通し、変更位置及び開位置にそれぞれ照合される２つのメイン調節穴と、
前記ハウジングの半径方向において、２つのサブ調節穴であって前記中央穴に連通し、変更位置及び開位置にそれぞれ照合される２つのサブ調節穴とを有し、
前記シリンダは、
第１の回転方向及び前記第１の回転方向と反対の第２の回転方向に沿って回転可能に前記ハウジングの前記中央穴に配置され、かつ前記ハウジングと前記シリンダの間に回転接点を形成するために前記ハウジングの前記中央穴の前記内面によって接触している外面と、
近端部と、
前記近端部に形成された鍵穴と、
前記シリンダの前記外面に形成されたメイン調節穴であって前記鍵穴に連通し、前記シリンダが前記ハウジングと関連して回転したとき、前記ハウジングの前記メイン調節穴の１つによって選択的に位置合わせされるメイン調節穴と、
前記シリンダの前記外面に形成されたメイン調節空洞であって前記シリンダの前記メイン調節穴に連通し、前記第１の回転方向にそって伸びるメイン調節空洞と、
前記シリンダの前記外面に形成されたサブ調節穴であって前記鍵穴に連通し、前記シリンダが前記ハウジングと関連して回転したとき、前記ハウジングの前記サブ調節穴の１つによって選択的に位置合わせされるサブ調節穴と、
前記シリンダの前記外面に形成されたサブ調節空洞であって前記シリンダの前記メイン調節穴に連通し、前記第２の回転方向にそって伸びるサブ調節空洞と、
前記シリンダに形成された、前記鍵穴に連通する複数のピン穴であって、前記シリンダが前記ハウジングと関連して回転したとき、前記ハウジングの前記ピン穴の１つの列状に選択可能に配置された複数のピン穴とを有し、
前記メイン調節ピン組立体は、メイン鍵が前記錠装置の前記開位置になるように前記シリンダの前記鍵穴に挿入されたとき、前記ハウジングの前記メイン調節穴と前記シリンダとが前記回転接点を妨げるように、前記ハウジングの前記メイン調節穴と前記シリンダとに配置されており、
前記サブ調節ピン組立体は、サブ鍵が前記錠装置の変更位置になるように前記シリンダの前記鍵穴に挿入されたとき、前記ハウジングの前記サブ調節穴と前記シリンダとが前記回転接点を妨げるように、前記ハウジングの前記サブ調節穴と前記シリンダとに配置されており、
前記複数のロックピン組立体は、それぞれ、前記ハウジングのピン穴の組に配置しており、前記シリンダのピン穴に対応する、錠装置。
【請求項２】
前記メイン調節ピン組立体は、
前記シリンダの前記メイン調節穴に受け入れられかつ前記ハウジングの前記メイン調節穴に選択的に受け入れられる複数のピンブロックと、
前記ハウジングの前記メイン調節穴に受け入れられた前記ピンブロックをそれぞれ再び押すために、前記ハウジングの前記メイン調節穴にそれぞれ受け入れられた２つのばねとを含み、
前記サブ調節ピン組立体は、
前記シリンダの前記サブ調節穴に受け入れられかつ前記ハウジングの前記サブ調節穴に選択的に受け入れられた複数のピンブ錠装置と、
前記ハウジングの前記サブ調節穴に受け入れられた前記ピンブロックをそれぞれ再び押すために、前記ハウジングの前記サブ調節穴にそれぞれ配置された２つのばねとを含む、請求項１に記載の錠装置。
【請求項３】
前記ハウジングは、さらに、前記配ジングの前記外面の長手方向に形成された複数の縦の凹所であってそれぞれに底部を有する複数の縦の凹所と、
前記縦の凹所の前記底部に形成された前記メイン調節穴、前記サブ調節穴及び前記ハウジングの前記ピン穴と、
前記メイン調節穴、前記サブ調節穴及び前記凹所の前記底部の前記ピン穴を閉じるために、前記縦の凹所にそれぞれ配置される複数の蓋とを含む、請求項１に記載の錠装置。
【発明の詳細な説明】
【技術分野】
【０００１】
本発明は、交換可能の錠装置に関し、特に、異なるキーに適切に合うように交換することができる変更可能の錠装置に関する。
【背景技術】
【０００２】
公的な領域、例えば図書館、駅、ジム又はプールには、物を一時的に格納する目的のためのキャビネットが載置されている。この種のキャビネットは、このキャビネットが許可なしに開けられないようにするために、錠装置を有している。
【０００３】
しかし、従来の錠装置は、交換不可能であり、単一の鍵が用いられるから、鍵が不正に複製されると、キャビネットを使用する安全は失われる。したがって、キャビネットの錠装置は、上述した状況が起こらないようにするために、使用期間の経過後に交換されるが、これは管理人又は他の信頼できる人にとっての問題となる。
【０００４】
加えて、キーが失われたときに、錠装置されたキャビネットから目的物を取り出す方法は、錠装置を分解するか又は破壊するしかない。錠装置を再度組立てする、又は、新規な錠装置に交換すると、時間がかかりかつ高価になる、という重要な問題を有する。
【発明の開示】
【０００５】
本発明の目的は、異なる鍵に適合（ｆｉｔ）する交換可能の錠装置を提供することにある。
【０００６】
錠装置は、ハウジングとシリンダとメイン調節ピン組立体とサブ調節ピン組立体と複数のロックピン組立体とを有する。ハウジングは、中央穴、複数の組のピン穴、２つのメイン調節穴及び２つのサブ調節穴を有している。複数の組のピン穴は、ハウジングに形成され、中央穴に連通している。各ピン穴の組は、ハウジングの外面に沿ったカーブに配置された３つのピン穴を有する。ハウジングのピン穴の組の３つの穴は、それぞれ、錠装置の変更位置、開位置及びロック位置とされる。メイン調節穴は、ハウジングにおける半径方向において、中央穴に連通し、それぞれ、変更位置及び開位置とされる。サブ調節穴は、ハウジングにおける半径方向において、中央穴に連通し、それぞれ、変更位置及び開位置とされる。シリンダは、第１の回転方向及び第２の回転方向に沿ってハウジングの中央穴に回転可能に受け入れられる。シリンダは、鍵穴、メイン調節穴、メイン調節空洞、サブ調節穴、サブ調節空洞及び複数のピン穴を有する。シリンダの外面は、ハウジングとシリンダとの間に回転接点を形成するために、ハウジングの中央穴の内面に当接する。メイン調節穴は、シリンダの外面に形成され、鍵穴に連通し、シリンダがハウジングと関連して回転すると、ハウジングのメイン調節穴の１つに選択的に位置合わせされる。メイン調節空間は、シリンダの外面に形成され、シリンダのメイン調節穴に連通し、第１の回転方向に沿って伸びている。サブ調節穴は、シリンダの外面に形成され、鍵穴に連通し、シリンダがハウジングと関連して回転するとき、ハウジングのサブ調節穴の１つに選択的に位置合わせされる。サブ調節空間は、シリンダの外面に形成され、シリンダのメイン調節穴に連通し、第２の回転方向に沿って伸びている。ピン穴は、シリンダがハウジングと関連して回転するとき、シリンダの外面に形成され、鍵穴に連通し、一列に配列され、ハウジングのピン穴の１つの列に選択的に位置合わせされる。メイン調節ピン組立体は、メイン鍵が錠装置の開位置になるようにシリンダの鍵穴に挿入されたとき、ハウジング及びシリンダのメイン調節穴で、回転接点を妨げるようにハウジング及びシリンダのメイン調節穴に配置される。サブ調節ピン組立体は、サブ鍵が錠装置の変更位置になるようにシリンダの鍵穴に挿入されたとき、ハウジング及びシリンダのサブ調節穴で、回転接点を妨げるようにハウジング及びシリンダのサブ調節穴に配置される。ロックピン組立体は、それぞれ、ハウジングのピン穴及びシリンダの対応するピン穴の組に取り付けられる。
【発明を実施するための最良の形態】
【０００７】
図１及び図２を参照するに、本発明に係る錠装置は、ハウジング１０、シリンダ２０、メイン調節ピン組立体３０、サブ調節ピン組立体４０及び複数のロックピン組立体５０を有する。
【０００８】
ハウジング１０は、外面、近端部、中央穴１１、複数の長手凹所１２、２つのメイン調節穴１３，１３２、２つのサブ調節穴１４，１４２及び複数の組のピン穴１５を有する。中央穴１１は、ハウジング１０に形成されており、また内面を有する。長手凹所１２は、ハウジング１０の外面に長手方向に形成され、かつそれぞれ底部を有する。
【０００９】
メイン調節穴１３，１３２は、ハウジング１０の半径方向に形成されて、中央穴１２に連通している。サブ調節穴１４，１４２は、ハウジング１０の半径方向に形成されて、中央穴１２に連通している。組のピン穴１５は、ハウジング１０に形成されて、中央穴１２に連通している。各組のピン穴１５は、ハウジング１０に、３列のピン穴１５を形成するように、ハウジング１０の外面に沿う曲部に配置された３つのピン穴１５を有する。好ましい実施例において、調節穴１３，１３２，１４，１４２及びピン穴１５は、長手凹所１２の底部に形成されている。
【００１０】
ハウジング１０の各組の３つのピン穴１５は、それぞれ、錠装置の変更位置、開位置及びロック位置とされる。ハウジング１０のメイン調節穴１３及び１３２は、それぞれ、変更位置及び開位置とされ、ハウジング１０のサブ調節穴１４及び１４２は、それぞれ、変更位置及び開位置とされる。
【００１１】
複数の蓋１６は、凹所１２の底部の穴１３，１３２，１４，１４２，１５を閉じるために、それぞれ、長手凹所１２に取り付けられる。内面を有する開口１７は近端部に形成され、湾曲されたストッパー１７２は開口１７の内面に形成されている。
【００１２】
シリンダ２０は、第１の回転方向及び第１の回転方向と反対の第２の回転方向に回転可能に、ハウジング１０の中央穴１１に受け入れられている。シリンダ２０は、外面、近端部、鍵穴２１、メイン調節穴２３、メイン調節空間２３２、サブ調節穴２４、サブ調節空間２４２及び複数のピン穴２５を有する。シリンダ２０の外面は、ハウジング１０とシリンダ２０との間に接触回転すなわち回転接点を形成するために、ハウジング１０の中央穴１１の内面に当接している。
【００１３】
鍵穴２１は、シリンダ２０の近端部に形成されている。メイン調節穴２３は、シリンダ２０の外面に形成され、鍵穴２１に連通している。メイン調節穴２３は、シリンダ２０がハウジング１０に対して回転されるとき、ハウジング１０のメイン調節穴１３，１３２の１つに選択的に整列される。メイン調節空間２３２は、シリンダ２０の外面に形成されており、シリンダ２０のメイン調節穴２３に連通して、第１の回転方向に伸びている。
【００１４】
サブ調節穴２４は、シリンダ２０の外面に形成されて、鍵穴２１に連通している。サブ調節穴２４は、シリンダ２０がハウジング１０に対して回転されるとき、ハウジング１０のサブ調節穴１４，１４２の１つに選択的に整列される。サブ調節空間２４２は、シリンダ２０の外面に形成されており、シリンダ２０のサブ調節穴２４に連通して、第２の回転方向に伸びている。
【００１５】
ピン穴２５は、シリンダ２０の外面に形成されて、鍵穴２１に連通している。ピン穴２５は、シリンダ２０がハウジング１０に対して回転されるとき、１列に整列されて、ハウジング１５のピン穴１５の１つの列に選択的に整列される。
【００１６】
スタッブ（ｓｔｕｂ）２７は、シリンダ２０の外面から突き出ており、ハウジング１０の開口１７に受け入れられる。スタッブ２７が開口１７のストッパー１７２に当接すると、シリンダ２０の回転が止められる。したがって、シリンダ２０の回転は、スタッブ２７及びストッパー１７２の突き合わせによって、所望の範囲に限られている。
【００１７】
メイン調節ピン組立体３０は、ハウジング１０及びシリンダ２０のメイン調節穴１３，１３２，２３に配置されている。メイン調節ピン組立体３０は、複数のピンブロック３２及び２つのばね３４を含む。ピンブロック３２は、シリンダ２０のメイン調節穴２３を介して受け入れられており、かつハウジング１０のメイン調節穴１３，１３２に選択的に受け入れられる。具体的には、ピンブロック３２は異なる厚みを有するように設計されている。ばね３４は、ハウジング１０のメイン調節穴１３，１３２に受け入れられたピンブロック３２をそれぞれ押すために、ハウジング１０のメイン調節穴１３，１３２にそれぞれ受け入れられている。好ましい実施例において、キャップ３６は、対応するピンブロック３２を押圧するために、各バネ３４と対応するピンブロック３２との間に配置されている。
【００１８】
サブ調節ピン組立体４０は、ハウジング１０及びシリンダ２０のメイン調節穴１４，１４２，２４に配置されている。サブ調節ピン組立体４０は、複数のピンブロック４２及び２つのばね４４を含む。ピンブロック４２は、シリンダ２０のサブ調節穴２４を介して受け入れられており、かつハウジング１０のサブ調節穴１４，１４２に選択的に受け入れられる。具体的には、ピンブロック４２は異なる厚みを有するように設計されている。ばね４４は、ハウジング１０のサブ調節穴１４，１４２に受け入れられたピンブロック４２をそれぞれ押すために、ハウジング１０のサブ調節穴１４，１４２にそれぞれ受け入れられている。好ましい実施例において、キャップ４６は、対応するピンブロック４２を押圧するために、各バネ４４と対応するピンブロック４２との間に配置されている。
【００１９】
各ロックピン組立体５０は、ハウジング１０の組のピン穴１５とシリンダ２０の対応するピン穴２５とに配置されている。各ロックピン組立体５０は、複数のピンブロック５２及び３つのばね５４を含む。ピンブロック５２は、シリンダ２０のピン穴２５の１つに受け入れられており、ハウジング１０の対応する組のピン穴１５に選択的に受け入れられている。具体的には、ピンブロック５２は異なる厚みを有するように設計されている。各ばね５４は、ハウジング１０のピン穴１５に受け入れられたピンブロック５２を押すために、ハウジング１０の組のピン穴１５の対応するように、受け入れられている。好ましい実施例において、各キャップ５６は、対応するピンブロック５２を押圧するために、バネ５４と対応するピンブロック５２との間に配置されている。
【００２０】
本来の位置において、シリンダ２０は、錠装置の開位置に配置されている。図３、図４及び図７を参照するに、メイン鍵７０がシリンダ２０の鍵穴２１に挿入されると、サブ調節ピン組立体４０のピンブロック４２の１つとロックピン組立体５０のピンブロック５２の１つとは、回転することをシリンダ２０に許するように、回転接点に適合するが、メイン調節ピン組立体３０のピンブロック３２の１つは、シリンダ２０の回転を阻止するように、回転接点を妨げる。さらに、図５、図６及び図８を参照するに、ユーザが第２の回転方向にシリンダ２０を回転させると、回転接点を妨げているピンブロック３２は、第２の回転方向と反対の第１の回転方向に沿うメイン調節空間２３２に入る。したがって、メイン調節ピン組立体３０のピンブロック３２の１つが回転接点を妨げている場合であっても、シリンダ２０は第２の回転方向に回転することが可能である。しかしながら、シリンダ２０は、ピンブロック３２によって干渉されるために、第１の回転方向に回転することができない。回転接点を妨げているピンブロック３２は、開位置に対応するハウジング１０のメイン調節穴１３に入れるように押される。
【００２１】
シリンダ２０が変更位置に回転されると、メイン鍵７０は、鍵穴２１の外に取り出すことができる。そして、変更位置に対応するハウジング１０の穴１３２，１４２，１５のピンブロック３２，４２，５２は、ばね３４，４４，５４によるばね力によって、シリンダ２０の対応する穴２３，２４，２５に押し込まれる。
【００２２】
図２及び図９から図１１を参照するに、その後、第１のサブ鍵８０は、変更位置に鍵穴２１を挿入することができる。第１のサブ鍵８０は、回転接点に適合するメイン調節ピン組立体３０のピンブロック３２及びロックピン組立体５０のそれぞれのピンブロック５２とを加えた特徴だけでなく、回転接点を妨げるサブ調節ピン組立体４０のピンブロック４２を加えた特徴をも有する。
【００２３】
したがって、シリンダ２０が第１の回転方向に回転するとき、回転接点を妨げるピンブロック４２は、第２の回転方向に沿うサブ調節空間２４２に入る。したがって、サブ調節ピン組立体４０のピンブロック４２の１つが回転接点を妨げる場合であっても、シリンダ２０は、第１の回転方向に回転することが可能である。回転接点を妨げるピンブロック４２は、変更位置に対応するハウジング４０のサブ調節穴１４２に入れるために押される。
【００２４】
さらに、シリンダ２０は、第１のサブ鍵８０と共にロック位置に回転することができる。ロックピン組立体５０のピンブロック５２は、鍵８０が鍵穴２１から取り外されると、錠装置をロックするために回転からシリンダ２０を遠ざけるために、回転接点を妨げる。加えて、鍵８０の特徴及びピンブロック３２，４２，５２の異なる厚みについて、錠装置は、特定の鍵で解錠されることができるだけである。
【００２５】
その理由として、２つのメイン調節穴１３，１３２と２つのサブ調節穴１４，１４２はハウジング１０に形成されているだけであり、ピン穴１５の３つの列はハウジング１０に形成されており、シリンダ２０は、開位置の回転接点を妨げるサブ調節ピン組立体４０のピンブロック４２があるにもかかわらず、第１のサブ鍵８０によって、開位置と、ロック位置との間を自由に回転されるからである。
【００２６】
さらに、サブ調節ピン組立体４０のピンブロック４２は開位置の回転接点を妨げるから、第１のサブ鍵８０は、シリンダ２０を第２の回転方向に回転させることができない。これは、第１のサブ鍵８０がシリンダ２０を変更位置に回転させることができないことを意味する。
【００２７】
錠装置を調節するために、第１のサブ鍵８０は、鍵穴２１から取り外され、メイン鍵７０が鍵穴に挿入される。メイン鍵７０の特徴に基づいて、シリンダ２０を前述の変更位置に回転させることができる。メイン鍵７０が鍵穴２１から取り外された後、第１のサブ鍵８０の特徴と異なる特徴を有する第２のサブ鍵（図示せず）が鍵穴２１に挿入される。第２のサブ鍵において、各ロックピン組立体５０のピンブロック５２は、回転接点に適合（ｍａｔｃｈ）する。メイン調節ピン組立体３０のピンブロック３２の１つは、回転接点に適合し、サブ調節ピン組立体４０のピンブロック４２の１つは、回転接点を妨げる。ここで、回転接点に適合又はこれを妨げるメイン調節組立体３０、サブ調節組立体４０及びロックピン組立体５０のピンブロック３２，４２，５２は、第１のサブ鍵７０が鍵穴に挿入されたとき、ピンブロック３２，４２，５２と同じになる又は異なるようにすることができる。これは、異なるサブ鍵が鍵穴２１に挿入されたとき、錠装置が異なる特徴を有することを意味する。したがって、シリンダ２０が第２のサブ鍵を有する開位置に回転した後、シリンダ２０は、第２のサブ鍵によって開位置とロック位置との間で回転することができるだけである。
【００２８】
この種の錠装置において、錠装置は、便利に、そして、容易にユーザの必要による異なる鍵で適合するように調整される。特定の鍵が不法に複製されるか又は失われたとき、錠装置は異なる鍵で適合するように変更される。したがって、錠装置を使用する安全だけは改善されないが、しかし、新規な錠装置を交換するための費用及び時間は節約される。
【図面の簡単な説明】
【００２９】
【図１】本発明に係るメイン鍵及び錠装置の一実施例を示す分解斜視図である。
【図２】図１に示す錠装置の分解斜視図である。
【図３】図４の部分断面図の線３−３に沿って得た図１のメイン鍵及び錠装置の側面図である。
【図４】開位置のメイン調節ピン組立体を示す図３の線４−４に沿って得た錠装置の部分断面を示す側面図である。
【図５】シリンダが開位置から変更位置まで第２の回転方向に回転されることを示す図４の錠装置の使用中の部分断面を示す側面図である。
【図６】変更位置におけるメイン調節ピン組立体を示す図４の錠装置の部分断面を示す側面図である。
【図７】回転接点を有するサブ調節ピン組立体のピンブロックの１つを示す図３の線７−７に沿って得た錠装置の部分断面を示す側面図である。
【図８】変更位置におけるサブ調節ピン組立体を示す図７の錠装置の部分断面を示す側面図である。
【図９】図１０の線９−９に沿って得た鍵穴に挿入されたサブ鍵を有する図１に示す錠装置の部分断面を示す側面図である。
【図１０】開位置におけるサブ調節ピン組立体を示す図９の線１０−１０に沿って得た錠装置の部分断面を示す側面図である。
【図１１】開位置におけるサブ調節ピン組立体を示す図１０の錠装置の部分断面を示す側面図である。
【符号の説明】
【００３０】
１０  ハウジング
１１  ハウジングの中央穴
１２  長手凹所
１３，１３２  ハウジングのメイン調節穴
１４，１４２  ハウジングのサブ調節穴
１５  ハウジングのピン穴
１６  複数の蓋
１７  開口
１７２  カーブストッパー
２０  シリンダ
２１  シリンダの鍵穴
２３  シリンダのメイン調節穴
２４  シリンダのサブ調節穴
２３２  シリンダのメイン調節空間
２４２  シリンダのサブ調節空間
２５  シリンダのピン穴
２７  シリンダのスタッブ
３０  メイン調節ピン組立体
３２  メイン調節ピン組立体のピンブロック
３４  メイン調節ピン組立体のバネ
３６  メイン調節ピン組立体のキャップ
４０  サブ調節ピン組立体
４２  サブ調節ピン組立体のピンブロック
４４  サブ調節ピン組立体のバネ
４６  サブ調節ピン組立体のキャップ
５０  ロックピン組立体
５２  ロックピン組立体のピンブロック
５４  ロックピン組立体のバネ
５６  ロックピン組立体のキャップ
７０  メイン鍵
８０  第１のサブ鍵
【図１】
2005264611.tif 000003
【図２】
2005264611.tif 000004
【図３】
2005264611.tif 000005
【図４】
2005264611.tif 000006
【図５】
2005264611.tif 000007
【図６】
2005264611.tif 000008
【図７】
2005264611.tif 000009
【図８】
2005264611.tif 000010
【図９】
2005264611.tif 000011
【図１０】
2005264611.tif 000012
【図１１】
2005264611.tif 000013